(57)【要約】【課題】本発明は、血圧を測定する過程における、耳介から離れる方向へのカフの移動を防止することのできる装着機構を備えた血圧計を提供することを目的とする。【解決手段】耳介で血圧を測定する血圧計において、耳介の上部に掛かる湾曲アーム部を設けたことを特徴とする。２個のカフが挟持して圧迫し、血圧を測定する血圧測定部と、略Ｕ字状の湾曲部が設けられ、前記湾曲部の一方の端部近傍に前記血圧測定部を支持する支持部が設けられている湾曲アーム部と、を備える血圧計であって、前記２個のカフは、前記湾曲部で構成される面と略平行に対峙していることを特徴とする。【選択図】図１
2007151675.tif 000002
【特許請求の範囲】
【請求項１】
２個のカフが挟持して圧迫し、血圧を測定する血圧測定部と、
略Ｕ字状の湾曲部が設けられ、前記湾曲部の一方の端部近傍に前記血圧測定部を支持する支持部が設けられている湾曲アーム部と、を備える血圧計であって、
前記２個のカフは、前記湾曲部で構成される面と略平行に対峙していることを特徴とする血圧計。
【請求項２】
前記支持部は、前記湾曲部で構成される面と前記２個のカフの対峙している面との角度を可変する第１回転機構が設けられていることを特徴とする請求項１に記載の血圧計。
【請求項３】
前記第１回転機構は、前記湾曲部で構成される面と前記２個のカフの対峙している面との角度を特定の角度で固定する固定機構が設けられていることを特徴とする請求項２に記載の血圧計。
【請求項４】
前記第１回転機構は、前記湾曲部で構成される面と前記２個のカフの対峙している面との角度及び回転方向を制限する角度制限機構が設けられていることを特徴とする請求項２又は３に記載の血圧計。
【請求項５】
前記支持部は、前記湾曲部で構成される面上で、前記湾曲部の一方の端部近傍を中心に前記湾曲部の他方の端部近傍を回転させる第２回転機構が設けられていることを特徴とする請求項１から４に記載のいずれかの血圧計。
【請求項６】
前記第２回転機構は、前記湾曲部の他方の端部近傍の回転角度を特定の角度で固定する固定機構が設けられていることを特徴とする請求項５に記載の血圧計。
【請求項７】
前記第２回転機構は、前記湾曲部の他方の端部近傍の回転角度及び回転方向を制限する角度制限機構が設けられていることを特徴とする請求項５又は６に記載の血圧計。
【請求項８】
前記支持部は、前記湾曲部の一方の端部近傍から前記血圧測定部までの長さを調節する長さ調節機構が設けられていることを特徴とする請求項１から７に記載のいずれかの血圧計。
【請求項９】
前記長さ調節機構は、前記２個のカフの対峙している面に垂直な方向の長さを調節することを特徴とする請求項８に記載の血圧計。
【請求項１０】
前記支持部と前記血圧測定部との接続部分から前記湾曲部の一方の端部までの、前記２個のカフの対峙している面に垂直な方向の長さが０ｍｍ超２０ｍｍ未満であることを特徴とする請求項１から９に記載のいずれかの血圧計。
【請求項１１】
前記湾曲アーム部は、前記湾曲部の他方の端部近傍に前記血圧測定部に向けて弾性的に押圧する押圧部が設けられていることを特徴とする請求項１から１０に記載のいずれかの血圧計。
【発明の詳細な説明】
【技術分野】
【０００１】
本発明は、耳介で血圧を測定する血圧測定部から伸びたアームを耳介上部に掛けることで装着される血圧計に関する。
【背景技術】
【０００２】
高齢化が進み、成人の生活習慣病への対応が社会的に大きな課題となっている。特に高血圧に関連する疾患の場合、長期の血圧値の収集が非常に重要である点が認識されている。このような観点から、血圧値を始めとした各種の生体情報の測定装置が開発されている。
【０００３】
日常生活を妨げないで継続的に血圧値を測定することが可能となる生体情報の測定装置として、外耳道又は外耳中の他の部位に挿入して常時装着する患者モニタ装置がある（例えば、特許文献１参照。）。この装置は、脈拍、脈波、心電、体温、動脈血酸素飽和度、及び血圧値などを被検体内へ放射した赤外光、可視光の散乱光の受光量から算出するものである。
【０００４】
しかし、安定して装着することのできる装着機構については提案されておらず、血圧計が耳介から脱落しやすいという問題があった。
【０００５】
一方、血圧値の測定に関しては、血管の脈動波形による血圧測定装置が、他の方式であるカフ振動法や容積補償法などによる血圧測定装置（例えば、非特許文献１参照。）と並んで、有力な血圧値の測定方法として認められている。ここでも安定して装着することのできる機構は提案されていない。
【０００６】
なお、耳介の名称は非特許文献２、３、４による。
【特許文献１】特開平９−１２２０８３号公報
【非特許文献１】山越  憲一、戸川  達男  ：  「生体センサと計測装置」日本エム・イー学会編／ＭＥ教科書シリーズ  Ａ−１、３９頁〜５２頁
【非特許文献２】Ｓｏｂｏｔｔａ  図説人体解剖学第１巻（監訳者：岡本道雄）、ｐ．１２６、（株）医学書院、１９９６年１０月１日発行
【非特許文献３】Ｓｏｂｏｔｔａ  図説人体解剖学第１巻（監訳者：岡本道雄）、ｐ．１２７、（株）医学書院、１９９６年１０月１日発行
【非特許文献４】からだの地図帳  （監修・解説：高橋長雄）、ｐ．２０、（株）講談社、２００４年１月２９日発行
【発明の開示】
【発明が解決しようとする課題】
【０００７】
耳介を挟持して血圧を測定する場合、血圧を測定する過程で、耳介から離れる方向へカフが移動しやすくなる。本発明は、血圧を測定する過程における、耳介から離れる方向へのカフの移動を防止することのできる装着機構を備えた血圧計を提供することを目的とする。
【課題を解決するための手段】
【０００８】
本発明は、上記課題を解決するものであり、耳介で血圧を測定する血圧計において、耳介の上部に掛かる湾曲アーム部を設けたことを特徴とする。
【０００９】
具体的には、本発明に係る血圧計は、２個のカフが挟持して圧迫し、血圧を測定する血圧測定部と、略Ｕ字状の湾曲部が設けられ、前記湾曲部の一方の端部近傍に前記血圧測定部を支持する支持部が設けられている湾曲アーム部と、を備える血圧計であって、前記２個のカフは、前記湾曲部で構成される面と略平行に対峙していることを特徴とする。
【００１０】
本発明により、２個のカフが挟持して圧迫し、耳介で血圧を測定することができる。また、湾曲部が耳介の上部に掛かるので、血圧計を耳介の表側に装着することができる。ここで、湾曲部がカフの押圧方向に略垂直な面上で略Ｕ字状に湾曲しているので、カフが側頭部と略垂直な方向へ圧迫する場合に、耳介から離れる方向へのカフの移動を防止することができる。
【００１１】
前記支持部は、前記湾曲部で構成される面と前記２個のカフの対峙している面との角度を可変する第１回転機構が設けられていることが好ましい。
【００１２】
本発明により、耳介の付け根の側頭部の傾斜に合わせて湾曲部の角度が可変になるので、耳介の上部により安定して装着することができる。よって、血圧測定部を耳介の表側により安定して押し付けることができる。
【００１３】
前記第１回転機構は、前記湾曲部で構成される面と前記２個のカフの対峙している面との角度を特定の角度で固定する固定機構が設けられていることが好ましい。
【００１４】
本発明により、耳介の付け根に沿って湾曲部を装着することができる。湾曲アーム部を安定して装着することができるので、血圧測定部を耳介の表側に安定して押し付けることができる。
【００１５】
前記第１回転機構は、前記湾曲部で構成される面と前記２個のカフの対峙している面との角度及び回転方向を制限する角度制限機構が設けられていることが好ましい。
【００１６】
本発明により、湾曲アーム部を回転させながら適度な角度で固定することができる。よって、装着を容易にすることができる。
【００１７】
前記支持部は、前記湾曲部で構成される面上で、前記湾曲部の一方の端部近傍を中心に前記湾曲部の他方の端部近傍を回転させる第２回転機構が設けられていることが好ましい。
【００１８】
本発明により、湾曲部の他方の端部近傍を回転させることができるので、湾曲アーム部の装着を容易にすることができる。
【００１９】
前記第２回転機構は、前記湾曲部の他方の端部近傍の回転角度を特定の角度で固定する固定機構が設けられていることが好ましい。
【００２０】
本発明により、湾曲部を装着に適した角度で固定することができる。よって、湾曲アーム部が外れ難いので、血圧測定部を耳介の表側に安定して押し付けることができる。
【００２１】
前記第２回転機構は、前記湾曲部の他方の端部近傍の回転角度及び回転方向を制限する角度制限機構が設けられていることが好ましい。
【００２２】
本発明により、湾曲部を回転させながら適度な角度で固定することができる。よって、装着を容易にすることができる。
【００２３】
前記支持部は、前記湾曲部の一方の端部近傍から前記血圧測定部までの長さを調節する長さ調節機構が設けられていることが好ましい。
【００２４】
本発明により、カフを装着する部分と耳介の上部との間隔に合わせて、カフと湾曲部との間隔を調整することができる。よって、湾曲部及びカフを安定して装着することができる。
【００２５】
前記長さ調節機構は、前記２個のカフの対峙している面に垂直な方向の長さを調節することが好ましい。
【００２６】
本発明により、湾曲部からカフまでの距離を、耳介の付け根からカフが装着される耳介の表側までの距離に合わせることができる。よって、湾曲部を耳介に安定して装着することができる。
【００２７】
前記支持部と前記血圧測定部との接続部分から前記湾曲部の一方の端部までの、前記２個のカフの対峙している面に垂直な方向の長さが０ｍｍ超２０ｍｍ未満であることが好ましい。
【００２８】
本発明により、湾曲部で構成される面とカフの押圧面との距離が０ｍｍ超２０ｍｍ未満であれば、安定して圧迫できる位置にカフを装着し、かつ、湾曲部を耳介の付け根に合わせて装着することができる。
【００２９】
前記湾曲アーム部は、前記湾曲部の他方の端部近傍に前記血圧測定部に向けて弾性的に押圧する押圧部が設けられていることが好ましい。
【００３０】
本発明により、耳介の裏側を湾曲部で押圧することができるので、湾曲部を耳介の上部に安定して装着することができる。
【発明の効果】
【００３１】
本発明によれば、耳介で血圧を測定する血圧計において、耳介の上部に掛かる湾曲アーム部が設けられているので、耳介から離れる方向へのカフの移動を防止することのできる血圧計を提供することができる。
【発明を実施するための最良の形態】
【００３２】
添付の図面を参照して本発明の実施の形態を説明する。以下に説明する実施の形態は本発明の構成の例であり、本発明は、以下の実施の形態に制限されるものではない。
【００３３】
図１は、本実施形態に係る血圧計の一例を示す側面図である。図２は、図１に示す血圧計の斜視図である。本実施形態に係る血圧計９１は、２個のカフ２１、２２が挟持して圧迫し、血圧を測定する血圧測定部１１と、略Ｕ字状の湾曲部３１が設けられ、湾曲部３１の一方の端部近傍５１に血圧測定部１１を支持する支持部３２が設けられている湾曲アーム部１２と、を備え、２個のカフ２１、２２は、湾曲部３１で構成される面と略平行に対峙していることを特徴とする。
【００３４】
血圧測定部１１は、血圧を測定するものである。例えば、挟持して押圧する２個のカフ２１、２２と、カフ２１及びカフ２２が押圧する圧力を検出する圧力検出手段と、カフ２１及びカフ２２が押圧する圧力を可変する圧力可変手段と、耳介の脈波を検出する脈波検出手段と、圧力検出手段の検出する圧力と脈波検出手段の検出する脈波とから血圧値を判定する血圧値判定手段と、を備えるものである。
【００３５】
２個のカフ２１、２２は、挟持して圧迫するものである。２個のカフ２１、２２は、例えば、押圧面が対峙しており、押圧面同士で挟持して押圧し、圧迫するものである。カフ２１、２２は、耳介の一部を挟持することのできる大きさ及び形状を有するものが好ましい。耳介の一部とは、例えば耳珠、対珠又は珠間切痕である。カフ２１、２２は、例えば、圧迫する面の直径が３ｍｍ以上２０ｍｍ以下のものが好ましい。また、カフ２２の押圧面の面積は、カフ２１の押圧面の面積よりも大きいことが好ましい。カフ２１が側頭部側に配置されるとき、カフ２１、２２は圧迫して押圧することができる。
【００３６】
血圧測定部１１は、カフ２１、カフ２１を支えるカフ支持体２３、カフ２２を支えるカフ支持体２４、カフ支持体２３をカフ支持体２４に取り付けるカフ接続体２５、カフ２２とカフ支持体２４との間隔を調節するカフ間隔調整ネジ２６を備えていてもよい。
【００３７】
血圧測定部１１の動作の一例について、図３を用いて説明する。図３は、血圧の測定例を示すグラフであり、（ａ）は圧力の時間推移、（ｂ）は脈動信号振幅の時間推移を示す。図３（ａ）では、心臓の鼓動による周期的な動脈内圧６１と、圧力検出手段の検出した押圧圧力６２と、が示されている。押圧圧力６２は、図１に示すカフ２１、２２が圧迫している圧力である。図３（ｂ）は、脈波検出手段の検出した脈波信号振幅６３が示されている。
【００３８】
カフは、動脈の血流が停止する程の圧力Ｐ０が圧力検出手段で検出されるまで押圧圧力６２を増加させる。圧力検出手段が圧力Ｐ０を検出したときを時間Ｔ０とした。時間Ｔ０では、図３（ｂ）に示すように、脈波検出手段は脈波信号振幅６３をほとんど検出しない。ここで、圧力Ｐ０は、予め設定された圧力を用いてもよいし、脈波検出手段で脈波が検出されなくなった圧力としてもよい。
【００３９】
カフは、時間Ｔ０を境にして、圧迫する押圧圧力６２を徐々に減少させる。脈波検出手段は、時間Ｔ１で図３（ｂ）に示すようなわずかな脈波信号振幅６３を検出する。このとき、押圧圧力６２は、心臓の鼓動により脈動する動脈内圧６１の最高値と等しくなっている。この時間Ｔ１での押圧圧力６２が収縮期血圧値Ｐ１となる。
【００４０】
脈波検出手段で検出される脈波信号振幅６３の振幅は、時間Ｔ１から徐々に大きくなり、時間Ｔ２で最大となる。この時間Ｔ２での押圧圧力６２が、動脈内圧６１の拡張期血圧値Ｐ２となる。このようにして、血圧値となる収縮期血圧値Ｐ１及び拡張期血圧値Ｐ２を決定することができる。なお、血圧を測定する方法は上記に限定されるものではなく、例えば、徐々に押圧圧力６２を増加させるものでもよい。
【００４１】
湾曲アーム部１２は、略Ｕ字状の湾曲部３１が設けられ、湾曲部３１の一方の端部近傍５１に血圧測定部１１を支持する支持部３２が設けられているものである。湾曲アーム部１２は、略Ｕ字状の湾曲部３１を備えるので、耳介の上部に安定して装着することができる。湾曲アーム部１２は、一体物であってもよいし、複数の部材から構成されていてもよい。
【００４２】
湾曲部３１は、湾曲アーム部１２の一部である。又、湾曲部３１は、略Ｕ字状の形状をしている。略Ｕ字状の形状とは、湾曲形状であり、Ｕ字状、Ｃ字状又はコの字状の形状或いはこれらの一部の形状とすることができる。略Ｕ字状は、非対称なＵ字状であってもよい。湾曲部３１は、略Ｕ字状の形状であるので、耳介の上部に掛けることができる。さらに、湾曲部３１は、弾性体からなることが好ましい。湾曲部３１が耳介の形状に合わせて変形することができれば、耳介の上部に安定して装着することができる。
【００４３】
支持部３２は、血圧測定部１１を支持するものである。支持部３２は、湾曲部３１と血圧測定部１１とを接続するものである。図１に示すように、一部が屈折していてもよい。例えば、湾曲部３１の一方の端部近傍５１に接続されており、２箇所が略直角に屈曲している第１支持部４１と、第１支持部４１と血圧測定部１１とを接続する第２支持部４２とを備えていてもよい。また、可動部が設けられていてもよい。
【００４４】
支持部３２は、湾曲部３１で構成される面と２個のカフ２１、２２の対峙している面との角度を可変する第１回転機構が設けられていることが好ましい。第１回転機構は、例えば、湾曲部３１を方向Ａ又は方向Ａの逆方向に回転させる機構を用いることができる。方向Ａは、カフ２１、２２の対峙している面に略垂直な面上の回転方向である。カフ支持体２４から湾曲部３１の端部近傍５１への方向に略垂直な面上の回転方向であることが好ましい。湾曲部３１が方向Ａに回転すれば、耳介の付け根に沿わせて湾曲部３１を装着することができるので、湾曲アーム部１２を耳介から外れ難くすることができる。
【００４５】
第１回転機構は、湾曲部３１で構成される面と２個のカフ２１、２２の対峙している面との角度を特定の角度で固定する固定機構が設けられていることが好ましい。例えば、方向Ａ及び方向Ａの逆方向への回転を止めるものである。回転を止めるものとしては、例えば、ロックピンを用いることができる。ロックピンは、例えば、軸受けに設けられた穴に棒状体を挿入して回転を止めるものを用いることができる。また、軸受け周辺の可動部に設けられた穴に棒状体を挿入して回転を止めるものでもよい。特定の角度は、予め決められていてもよいし、任意であってもよい。このように、第１回転機構に固定機構が設けられていることによって、湾曲部３１及びカフ２１、２２のそれぞれの装着に適した角度で血圧計９１の形状を固定することができる。よって、血圧測定部１１を耳介の表側に安定して押し付けることができる。
【００４６】
第１回転機構は、回転方向を制限する角度制限機構が設けられていることが好ましい。角度制限機構は、例えば、方向Ａの逆方向への回転を防ぐ歯が設けられているラッチ機構を用いることができる。また、角度制限機構は、湾曲部３１で構成される面と２個のカフ２１、２２の対峙している面との角度の可変範囲を制限することのできるものでもよい。角度の可変範囲は、限定されるものではない。例えば、９０度であってもよいし、１８０度であってもよい。このように、第１回転機構に角度制限機構が設けられていることによって、湾曲アーム部１２を回転させながら適度な角度で固定することができる。よって、血圧計９１の装着を容易にすることができる。
【００４７】
支持部３２は、湾曲部３１で構成される面上で、湾曲部３１の一方の端部近傍５１を中心に湾曲部３１の他方の端部近傍５２を回転させる第２回転機構が設けられていることが好ましい。第２回転機構は、例えば、湾曲部３１で構成される面に略垂直な回転軸４３又は４４を有し、湾曲部３１の他方の端部近傍５２を方向Ｂ又は方向Ｂの逆方向に回転させる機構を用いることができる。方向Ｂは、湾曲部３１の一方の端部近傍５１を中心とする、湾曲部３１で構成される面上での回転方向である。方向Ｂは、例えば、湾曲部３１の一方の端部近傍５１から他方の端部近傍５２への方向とすることができる。このように、支持部３２に第２回転機構が設けられていることによって、湾曲部３１を耳介の上部に装着した状態で、カフ２１、２２の装着位置を調整することができる。よって、湾曲アーム部１２の装着を容易にすることができる。また、湾曲部３１を耳介の上部に安定して装着することができるので、血圧測定部１１を耳介の表側に安定して押し付けることができる。
【００４８】
第２回転機構は、湾曲部３１の他方の端部近傍５２の回転角度を特定の角度で固定する固定機構が設けられていることが好ましい。固定機構は、例えば、方向Ｂ及び方向Ｂの逆方向への回転を止めるものである。回転を止めるものとしては、例えば、ロックピンを用いることができる。ロックピンは、前述の第１回転機構で説明した固定機構と同様のものを用いることができる。特定の角度は、予め決められていてもよいし、任意であってもよい。このように、第２回転機構に固定機構が設けられていることによって、湾曲部３１及びカフ２１、２２のそれぞれの装着に適した角度で血圧計９１の形状を固定することができる。よって、血圧測定部１１を耳介の表側に安定して押し付けることができる。
【００４９】
第２回転機構は、湾曲部３１の他方の端部近傍５２の回転方向を制限する角度制限機構が設けられていることが好ましい。角度制限機構は、例えば、方向Ｂの逆方向への回転を防ぐ歯が設けられているラッチ機構を用いることができる。また、角度制限機構は、回転角度を制限することのできるものでもよい。角度の可変範囲は、限定されるものではない。例えば、９０度であってもよいし、１８０度であってもよい。このように、第２回転機構に角度制限機構が設けられていることによって、湾曲部３１を回転させながら適度な角度で固定することができる。よって、血圧計９１の装着を容易にすることができる。
【００５０】
支持部３２は、湾曲部３１の一方の端部近傍５１から血圧測定部１１までの長さを調節する長さ調節機構が設けられていることが好ましい。例えば、第１支持部４１と第２支持部４２との接続位置を方向Ｄに移動可能なものを用いることができる。また、第１支持部４１が方向Ｄ又は方向Ｃに伸縮するものであってもよい。方向Ｃは、湾曲アーム部１２との接続位置に遠いカフ２１からカフ２２に向けての押圧方向である。また、方向Ｃは、カフ２１、２２の対峙している面に略垂直な方向である。方向Ｄは、血圧測定部１１から湾曲部３１へ向けての方向である。また、第１支持部４１の長軸方向であってもよい。このように、支持部３２に長さ調節機構が設けられていることによって、カフと湾曲部との間隔を調整することができる。よって、湾曲部３１を耳介の上部に安定して装着することができるので、血圧測定部１１を耳介の表側に安定して押し付けることができる。
【００５１】
長さ調節機構は、２個のカフ２１、２２の対峙している面に垂直な方向Ｃの長さを調節することが好ましい。例えば、第１支持部４１と第２支持部４２との接続位置を方向Ｃに移動可能なものを用いることができる。また、第１支持部４１が方向Ｃに伸縮するものでもよい。湾曲部３１からカフ２１、２２までの距離を、耳介の付け根からカフ２２が装着される耳介の表側までの距離に合わせることができるので、湾曲部３１を耳介の付け根に安定して装着することができる。
【００５２】
支持部３２と血圧測定部１１との接続部分から湾曲部３１の一方の端部までの、２個のカフ２１、２２の対峙している面に垂直な方向Ｃの長さが０ｍｍ超２０ｍｍ未満であることが好ましい。湾曲部３１で構成される面とカフ２１又はカフ２２の押圧面との距離が０ｍｍ超２０ｍｍ未満であれば、耳珠にカフ２１、２２を装着し、かつ、湾曲部３１を耳介の付け根に沿って装着することができる。
【００５３】
湾曲アーム部１２は、湾曲部３１の他方の端部近傍５２に血圧測定部１１に向けて弾性的に押圧する押圧部が設けられていることが好ましい。押圧部は、例えば、湾曲形状の内側に向けて押圧するものであってもよい。押圧部は、弾性体からなることが好ましい。弾性体としては、ゴム、樹脂、又は弾性を有する金属を用いることができる。
【００５４】
血圧計９１の動作例について説明する。カフ２１及びカフ２２は、耳介の表側に配置される。カフ２１及びカフ２２は、側頭部に対して略垂直に配置され、カフ２１は側頭部に近い側に、カフ２２は側頭部から遠い側に配置される。例えば、カフ２１は耳珠の耳道側に配置され、カフ２２は耳珠の耳輪側に配置される。湾曲アーム部１２は、顔面側から耳介の上部を介し、耳介の裏側にかけて装着される。湾曲アーム部１２は、略Ｕ字状の湾曲部３１を備えるので、耳介の上部に沿って装着することができる。湾曲部３１がカフ２１、２２の対峙している面と平行に湾曲しているので、カフ２１、２２が側頭部と略垂直な方向へ圧迫する場合に、耳介から離れる方向となる２個のカフ２１、２２の対峙している面に垂直な方向Ｃへのカフの移動を防止することができる。
【００５５】
ここで、支持部３２に第１回転機構が設けられていれば、湾曲部３１を耳介の上部に沿った状態でカフ２１及びカフ２２を装着することができる。また、支持部３２に第２回転機構が設けられていれば、湾曲部３１の他方の端部近傍５２が回転するので、湾曲部３１を顔面側から耳介の上部に容易に掛けることができる。このとき、第１回転機構又は第２回転機構に固定機構又は角度制限機構が設けられていれば、装着を容易にすることができる。
【００５６】
また、支持部３２に長さ調整機構が設けられていれば、耳介の上部からカフ２１、２２の装着位置までの長さに合わせて、支持部３２の長さを調節することができる。特に、カフ２１、２２の対峙する面に垂直な方向での長さが可変であれば、湾曲部３１が耳介の上部に沿った位置で湾曲アーム部１２を装着した状態で、安定に装着できる位置及び角度でカフ２１、２２を装着することができる。このとき、耳介の付け根から耳珠の耳輪側までの長さは２０ｍｍ以下である場合が多いので、調節範囲が２０ｍｍ以下であれば、効率よくカフ２１、２２及び湾曲部３１の装着位置を調整することができる。また、湾曲アーム部１２が押圧部を備えれば、湾曲アーム部１２は耳介の上部を保持することができる。
【００５７】
以上説明したように、湾曲アーム部１２は、２個のカフ２１、２２の圧迫する方向に対して略垂直な面に湾曲する湾曲部３１を備えるので、カフ２１、２２が側頭部と略垂直な方向へ圧迫する場合に、耳介から離れる方向Ｃへのカフの移動を防止することができる。よって、血圧計９１は、耳介から離れる方向へのカフの移動を防止することができる。
【００５８】
さらに、湾曲アーム部１２は、第１回転機構、第２回転機構又は長さ調節機構を設けることにより、湾曲部３１を耳介の上部に安定して装着することができるので、カフ２１、２２の安定した圧迫が可能になる。
【産業上の利用可能性】
【００５９】
血圧計を耳介に掛けることができるので、耳介で脈拍などを検出できる生体情報検出装置に応用できる。
【図面の簡単な説明】
【００６０】
【図１】本実施形態に係る血圧計の一例を示す側面図である。
【図２】図１に示す血圧計の斜視図である。
【図３】血圧の測定例を示すグラフであり、（ａ）は圧力の時間推移、（ｂ）は脈動信号振幅の時間推移を示す。
【符号の説明】
【００６１】
１１  血圧測定部
１２  湾曲アーム部
２１、２２  カフ
２３、２４  カフ支持体
２５  カフ接続体
２６  カフ間隔調整ネジ
３１  湾曲部
３２  支持部
４１  第１支持部
４２  第２支持部
４３、４４  第２回転機構の回転軸
５１  湾曲部の一方の端部近傍
５２  湾曲部の他方の端部近傍
６１  動脈内圧
６２  押圧圧力
６３  脈波信号振幅
９１  血圧計
Ａ  第１回転機構の回転方向
Ｂ  第２回転機構の回転方向
Ｃ  ２個のカフの対峙している面に垂直な方向
Ｄ  ２個のカフの対峙している面に平行な一方向
【図１】
2007151675.tif 000003
【図２】
2007151675.tif 000004
【図３】
2007151675.tif 000005